(57)【特許請求の範囲】
【請求項１】
押下げ操作により内容物の吐出を行う吐出パイプに噴射ボタン本体が嵌着されると共に、この噴射ボタン本体に、広角噴射を行うように複数個の噴射口をノズル正面部に１列に配列したノズルが、噴射口の配列方向を上下方向から少なくとも横方向へ変化させ得るように回転操作可能に支持された広角噴射ボタンにおいて、
ノズル正面部が、噴射口を中央部にそれぞれ位置付けする３個のノズル正面部領域に分割されると共に、この各ノズル正面部領域が、所属の前記噴射口の噴射方向に対して直交面になり、かつ前記噴射方向を段階的に変化させるように３段階に順に傾倒し、
ノズルを回転操作する回転中心線が上向きに設定されると共に、真中の前記ノズル正面部領域が、所属の前記噴射口の前記噴射方向を前記回転中心線に一致させるように、この回転中心線に対する直交面として形成され、
下側の前記噴射口の噴射方向が水平であり、上側の前記噴射口の噴射方向が、真中の前記噴射口の噴射方向に対して下側の前記噴射口の噴射方向と略同一角度だけ異なることを特徴とする広角噴射ボタン。
【請求項２】
吐出パイプに連通する噴射ボタン本体側流路の出口部が、回転中心線上に位置し、かつ各噴射口にそれぞれ連通するノズル側流路の入口部に連通することを特徴とする請求項１記載の広角噴射ボタン。
【発明の詳細な説明】
【０００１】
【発明の属する技術分野】
本発明は、押下げ操作により内容物の吐出を行うために、エアゾール容器のバルブステム或いはポンプ吸出しピストン等の吐出パイプに嵌着されると共に、広角噴射を行うように、噴射方向が順に段階的に変化する複数個の噴射口が配列されたノズルを備えた広角噴射ボタンに関するものである。
【０００２】
【従来の技術】
この種の広角噴射ボタンは、特開平２０００−３２５８３４号公報により周知であり、噴射口の噴射方向を互いに異なるように設定することにより広角の噴射を行わせている。
【０００３】
【発明が解決しようとする課題】
しかしながら、各噴射口が同一面状のノズル正面部に配列されており、広角噴射を行わせるにしてもその噴射方向を視認にしくい点で改良の余地が残されている。
【０００４】
本発明は、このような点に鑑みて、ノズル正面部の形状を噴射方向に対応させた広角噴射ボタンを提供することを目的とする。
【０００５】
【課題を解決するための手段】
本発明は、この目的を達成するために、押下げ操作により内容物の吐出を行う吐出パイプに噴射ボタン本体が嵌着されると共に、この噴射ボタン本体に、広角噴射を行うように複数個の噴射口をノズル正面部に１列に配列したノズルが、噴射口の配列方向を上下方向から少なくとも横方向へ変化させ得るように回転操作可能に支持された広角噴射ボタンにおいて、ノズル正面部が、噴射口を中央部にそれぞれ位置付けする３個のノズル正面部領域に分割されると共に、この各ノズル正面部領域が、所属の噴射口の噴射方向に対して直交面になり、かつ噴射方向を段階的に変化させるように３段階に順に傾倒し、ノズルを回転操作する回転中心線が上向きに設定されると共に、真中のノズル正面部領域が、所属の噴射口の噴射方向を回転中心線に一致させるように、この回転中心線に対する直交面として形成され、下側の噴射口の噴射方向が水平であり、上側の噴射口の噴射方向が、真中の噴射口の噴射方向に対して下側の噴射口の噴射方向と略同一角度だけ異なることを特徴とする。
【０００６】
下側の噴射口の噴射方向は水平正面に向い、真中の噴射口の噴射角は上向きに偏向し、上側の噴射角はさらにほぼ同一角度で上向きに偏向し、上下方向へ広角噴射となる。ノズルを横方向へ回転操作すると、３個の噴射口は横方向へ両側の略対称になって広い噴射パターンで噴射が行われる。ノズルは任意の回転位置に設定することができ、その際真中の噴射口の噴射方向は、回転中心線に一致していることにより不変である。吐出パイプは、エアゾール容器の頂部に設けられる噴射バルブのバルブステム、ポンプの吸出しピストン等である。
【０００７】
【発明の実施の形態】
図１乃至図４を基に本発明の実施の形態の一例によるエアゾール容器用広角噴射ボタンを説明する。この広角噴射ボタンは、エアゾール容器１の頂部に装着されているマウンティングカップ２のカール部２ａの外周凹部に係合する肩カバー部９の内側で、マウンティングカップ２から上方付勢状態で突出するバルブステム３に装着されると共に、噴射ボタン本体１０と、ノズル２０とで構成される。
【０００８】
噴射ボタン本体１０は、押下げ操作される上面部１４ｂを備え、また周面部１４の内部にプレート状リブ１４ａで連結され、かつ基端部にバルブステム３への嵌着部１１を有する筒部１３が形成されている。また、その正面部１９は、ノズル２０の上向きの回転中心線Ｘに対して直交面となるように設定されると共に、その円形状のノズル基部２１を回転自在に着座させる対応した円形状の凹部１９ａが形成され、その内側周囲には同心状にノズル２０を抜けないように係合させる環状の嵌合穴１７が形成されている。その嵌合穴の内側には、バルブステム３に連通する縦方向の流路１３ａに対して、回転中心線Ｘに沿って斜め上向きに連通する流路１６が形成されている。
【０００９】
ノズル２０は、３個の噴口部材３０〜３２を装着させる３連の円柱状に形成されると共に、その小判状の台座部２２の裏面に前述のノズル基部２１が形成されている。その裏面には流路１６の出口部１６ａに対面する凹部２８が形成され、その周囲に、嵌合穴１７に嵌入される環状の係入部２９が突設されると共に、環状の突起２９ａで凹凸係合するようになっている。
【００１０】
ノズル２０の正面部は、３個の噴射口３９が上下方向へ１列に揃った通常位置で、側面視で垂直面から２０°づつ順に後方へ傾倒した３分割のノズル正面部領域２４ｂ、２４、２４ａとして形成されている。即ち、真中のノズル正面部領域２４は、ノズル２０の回転中心線Ｘに対して直交面となるように設定されると共に、噴口部材３０を同一面状に嵌合させる円形状凹部２５及びその環状の基部３８を係入させる環状の係合穴２６が形成され、環状の突起２６ａで凹凸係合するようになっている。同様に、ノズル正面部領域２４ａ、２４ｂにも所属の噴口部材３１、３２を同一面状に嵌合させる凹部２５及び係合穴２６が形成されている。
【００１１】
これにより、噴口部材３０〜３２はその正面がノズル正面部領域２４ａ、２４ｂの中央部を同一面状に形成すると共に、その各噴射口３９の噴射方向は、真中の噴射口３９の水平方向から２０°上向きの回転中心線Ｘに一致する噴射方向に対して上側及び下側に偏向角度αを２０°として設定され、広角噴射を行うように、下側の噴射口３９から順に段階的に変化している。噴口部材３０〜３２のそれぞれの噴射方向に沿った係合穴２６は、部分的にチャネル状にそのまま延長されて、図２に示すように、凹部２８に開口する入口部２７、２７ａ、２７ｂを形成し、流路１６の出口部１６ａに隙間を置いて対面している。
【００１２】
このように構成された広角噴射ボタンの動作は次の通りである。図３に示す状態では、３個の噴射口３９が上下方向へ揃うと共に、噴射方向が上向きの真中の噴射口３９の回転中心線Ｘに沿った噴射角に対して上側の噴射口３９は上側に２０°、下側の噴射口３９は下側に２０°に偏向している。上面部１４ｂが押下げ操作されると、エアゾール容器１の内容物は流路１３ａ、１６及び凹部２８を経由して入口部２７、２７ａ、２７ｂに流入し、それぞれの基部３８を係入させる係合穴２６の内周側の環状の隙間を経由して所属の噴射口３９から噴射される。下側の噴射口３９の噴射方向は水平正面に向い、真中の噴射口３９の噴射角は２０°上向きに偏向し、上側の噴射角はさらに２０°上向きに偏向し、上下方向へ段階的に変化する広角噴射となり、噴射パターンは、３個所からの噴射の合成により噴射密度分布の変動を抑制して、上下方向へ幅広となる。
【００１３】
図４に示すように、ノズル２０を手で握って横方向へ回転操作すると、入口部２７、２７ａ、２７ｂは円形状凹部２８内で対応の円形状の出口部１６ａに対して対面状態を保持して回転すると共に、３個の噴射口３９は側面視で全て回転中心線Ｘに揃い、横方向へ両側対称に４０°より広い噴射パターンで噴射が行われる。また、ノズル２０は任意の回転位置に設定することができ、任意の回転位置で斜めに広角噴射を行わせることもできる。その際、真中の噴射口３９の噴射方向は、回転中心線Ｘに一致していることにより回転位置の如何に拘らず不変である。
【００１４】
【発明の効果】
請求項１の発明によれば、３個の噴射口から多角形状に分割されたノズル正面部領域の傾倒角に応じて段階的に変化する噴射方向の合成噴射により、噴射量の密度分布の変動を抑制して広角噴射が行われる。噴射方向に対して直交のノズル正面部の傾倒形状により、噴射範囲を容易に広角に設定でき、その噴射方向も容易、かつ確実に確認できる。噴射パターンの幅広方向が、上下方向から横方向へ可変となり、その際真中の噴射口の噴射方向はいずれの回転操作位置でも一定であり、広角の噴射方向及び噴射パターンの変化範囲が一層確認し易くなる。上下方向に設定した場合には下側の噴射口の水平方向の噴射方向を基準に噴射パターンの範囲が容易に確認される。横方向に設定した場合には真中の噴射口の噴射方向を基準に両側に対称的に噴射パターンが広がり、噴射パターンの範囲が容易に確認される。請求項２の発明によれば噴射ボタン本体側の共通の流路から各噴射口にそれぞれ連通するノズル側の流路に簡単に連通できる。
【図面の簡単な説明】
【図１】本発明の実施の形態による広角噴射ボタンの断面図である。
【図２】同広角噴射ボタンのノズルの背面図である。
【図３】同広角噴射ボタンの上下方向へ噴射角を広げた状態の正面図である。
【図４】同広角噴射ボタンの横方向へ噴射角を広げた状態の正面図である。
【符号の説明】
３  バルブステム
１０  噴射ボタン本体
１６ａ  噴射ボタン本体側流路の出口部
２０  ノズル
２４ｂ、２４、２４ａ  ノズル正面部領域
２７、２７ａ、２７ｂ  ノズル側流路の入口部
３０〜３２  噴口部材
３９  噴射口
【図１】
0004003825.tif 000002
【図２】
0004003825.tif 000003
【図３】
0004003825.tif 000004
【図４】
0004003825.tif 000005